(57)【要約】      （修正有）【課題】カーテンレールを、窓枠や壁から取り外さずとも簡単に、取り付けおよび、取り外しが出来るカーテンランナーを提供する。【解決手段】カーテンランナーを縦に半分にして、上部の円柱部分の最上部の円の直径部分でつながっており、その直径部分を支点に折り曲げて合わせることが出来る様にし、中央の半円柱状の部分をカーテンレールの溝にはめ込み、ここを支点として折り曲げて重ね合わせることによりカーテンランナーの形になり、穴の部分にフックを通してカーテンをつり下げる。【選択図】図２
0003160854.tif 000002
【実用新案登録請求の範囲】
【請求項１】
取り付け済みのカーテンレール（１）を、窓枠や壁から取り外さずとも簡単に、取り付けおよび、取り外しが出来るカーテンランナー（２）。
【請求項２】
請求項１のカーテンランナー（２）に、固定リング（３）を取り付け、カーテンレール（１）より外れにくい様に工夫したカーテンランナー。
【請求項３】
請求項１のカーテンランナー（２）に、マグネット付き固定リング（６）を取り付け、カーテンレール（１）の中央で、カーテンランナー（２）をマグネットで固定し、左右２枚のカーテンをきちんと合わせることができる様に工夫したもの。
【考案の詳細な説明】
【技術分野】
【０００１】主として日用雑貨や住宅設備に関する商品を販売している、ホームセンターや家具店、コンビニエンスストア等で売られている金属製、木製、プラスチック製のカーテンレールに関する。
【背景技術】
【０００２】カーテンレール（１）にカーテンを引っかける金具を通すカーテンランナー（２）は、あらかじめ組み込まれており、一度壁や窓枠に木ネジ等で取り付けてしまうと、カーテンランナー（２）が破損した場合や、カーテンを新調した際に、引っかけるカーテンランナー（２）の数が不足してしまった場合に、一端、壁や窓枠から、カーテンレール（１）を、工具を使って取り外してから、カーテンレール（１）を分解し、カーテンランナー（２）を追加取り付けする手間が必要であった。また、現在市販されているカーテンランナー（２）は、大きさも小さく、強度も低いものが多く、すぐに割れたり、穴の部分がかけたりして破損したり、すり減って動きが悪くなったりと、交換が必要となる場合が多い。破損を見越して、あらかじめ多めにカーテンランナー（２）をカーテンレール（１）に取り付けておいても良いが、その場合、カーテンを開け閉めする際に、引っかかりやすくなることに加え、窓の両脇にカーテンを束ねた際にレール状でカーテンランナー（２）が余分にかさばるため、ふくらみ見栄えも悪くなる。
【考案の開示】
【考案が解決しようとする課題】
【０００３】そこで、本校案によれば、カーテンランナー（２）を追加で取り付けする際に、いちいち壁や窓枠から、カーテンレール（１）を、工具を使って取り外さなくても、カーテンランナー（２）を容易に追加および取り外しを取り付け可能にするものである。
【課題を解決するための手段】
【０００４】（図１）の中央の半円柱状の部分（５）をカーテンレール（１）の溝にはめ込み、（図２）の要領で両端を手前に折り曲げ、穴の部分にカーテンのフックを通してカーテンをつり下げることにより、簡単にカーテンランナーを追加することができる。中心部分の半円柱状の部分をカーテンレール（１）の溝にはめ込み、両端を手前に折り曲げ、さらに、［図３］の要領で請求項２による固定用のリング（３）を取り付けることにより、カーテンランナー（２）の強度上げ、ズレを防いで安定させることができる。本考案によるカーテンランナー（２）のカーテンレールへ（１）の組み込み手順については、（図４）において解説してある。また、カーテンレール（１）に入れたカーテンランナー（２）の列の中心に位置する２コを、本校案の請求項１のカーテンランナー（２）に、マグネット付き固定リング（６）を取り付けた、請求項３によるカーテンランナー（２）とすることにより、カーテンランナー（２）をマグネットで固定し、左右２枚のカーテンをカーテンレール（１）の中央で、きちんと合わせることが可能になる。
【考案を実施するための最良の形態】
【０００５】
【実施例】
【０００６】（図１）と（図２）と（図４）の▲１▼〜▲３▼が本考案の請求項１の実施例で、（図３）と（図４）の▲１▼〜▲４▼、（図５）が本考案の請求項２の実施例、（図６）が本考案の請求項３の実施例である。
【考案の効果】
【０００７】本校案によれば、カーテンランナー（２）が破損した場合や、カーテンを新調した際に、引っかけるカーテンランナー（２）の数が不足してしまった場合でも、一端、壁や窓枠から、カーテンレール（１）を、工具を使って取り外してから、カーテンランナー（２）を追加取り付けする手間が省け非常に便利である。とにかく、現在市販されているカーテンレールとカーテンランナーの場合、破損した一個のカーテンランナーを交換する場合でも、ドライバーでネジを最低でも８本程度外す必要があり、非常に面倒である。まして非力な女性の場合、作業も困難である。さらに、何度もネジを外したり、つけたりしていると、ネジ山がゆるくなり、カーテンの重さだけでもネジが抜け、カーテンレールが脱落するトラブルなどが出てくる恐れもある。特に石膏ボードの壁などは要注意である。また、簡単にカーテンランナーが脱着できる様になったことで、破損時に備えて余分にカーテンランナーを取り付けておく必要もなくなり、余分なカーテンランナーがカーテンレール上で障害となり引っかかることもなく、カーテンの開け閉めもスムーズになる。また、カーテンの交換などにより、カーテンランナー（２）が余った場合でも、（図４）の本考案によるカーテンランナー（２）のカーテンレール（１）への組み込み手順の逆の手順で簡単に取り外すことができる。
【図面の簡単な説明】
【０００８】
【図１】  本考案のカーテンランナーの斜視図
【図２】  折り曲げ方斜視図
【図３】  請求項２によるカーテンランナーの斜視図
【図４】  本考案によるカーテンランナーのカーテンレールへの組み込み手順
【図５】  請求項２の実施例の斜視図
【図６】  請求項３の実施例の斜視図
【符号の説明】
【０００９】カーテンレール・・・（１）        カーテンランナー・・・（２）
固定リング・・・（３）            カーテンフックを通す穴・・・（４）
中心の半円の部分・・・（５）      マグネット付き固定リング・・・（６）
マグネット・・・（７）
【図１】
0003160854.tif 000003
【図２】
0003160854.tif 000004
【図３】
0003160854.tif 000005
【図４】
0003160854.tif 000006
【図５】
0003160854.tif 000007
【図６】
0003160854.tif 000008
【手続補正書】
【提出日】平成21年8月20日(2009.8.20)
【手続補正１】
【補正対象書類名】実用新案登録請求の範囲
【補正対象項目名】請求項１
【補正方法】変更
【補正の内容】
【請求項１】
（図１）の合成樹脂製の中央の半円柱状の部分（５）をカーテンレール（１）の溝にはめ込み、（図２）の要領で両端を手前に折り曲げ、穴の部分にカーテンのフックを通してカーテンをつり下げることにより、簡単に取り付けおよび取り外しすることができるカーテンランナー（２）。
【手続補正２】
【補正対象書類名】実用新案登録請求の範囲
【補正対象項目名】請求項３
【補正方法】変更
【補正の内容】
【請求項３】
請求項１のカーテンランナー（２）に、マグネット付き固定リング（６）を取り付け、カーテンレール（１）の中央で、カーテンランナー（２）をマグネットで固定し、左右２枚のカーテンをきちんと合わせることができる様に工夫したカーテンランナー（２）。
【手続補正書】
【提出日】平成21年12月24日(2009.12.24)
【手続補正１】
【補正対象書類名】実用新案登録請求の範囲
【補正対象項目名】全文
【補正方法】変更
【補正の内容】
【実用新案登録請求の範囲】
【請求項１】
本校案によるカーテンランナー（図１）は合成樹脂製のカーテンランナーを縦に半分に割り、円筒形の部分の最頂部の半円柱状の部分（５）のみが、直径の部分で繋がっており、（図１）の中央の半円柱状の部分（５）をカーテンレール（１）の溝にはめ込み、ここを支点として（図２）の要領で両端を手前に折り曲げて重ね合わせると、カーテンランナーの形になり、穴の部分にカーテンのフックを通してカーテンをつり下げることにより、簡単に取り付けおよび取り外しすることができるカーテンランナー。
【請求項２】
請求項１のカーテンランナー（２）に、カーテンのフックを通すための穴がある下の方より、カーテンランナーの中心部でピタリとはまり込み、カーテンランナーが上と下からはさみ込めるように固定リング（３）を取り付け、本考案請求項１によるカーテンランナーの強度を上げ、カーテンレール（１）より外れにくい様に工夫したカーテンランナー。
【請求項３】
請求項１によるカーテンランナー（２）に、請求項２によるカーテンランナー（２）の固定リング（３）にマグネット（７）を取り付けたマグネット付き固定リング（６）をカーテンのフックを通すための穴がある下の方より、カーテンランナーの中心部でピタリとはまり込み、カーテンランナーが上と下からはさみ込めるように取り付け、カーテンレール（１）の中央で、向かい合った２つのカーテンランナー（２）がマグネットで固定され、左右２枚のカーテンをきちんと合わせることができる様に工夫したカーテンランナー。
【手続補正書】
【提出日】平成22年4月20日(2010.4.20)
【手続補正１】
【補正対象書類名】実用新案登録請求の範囲
【補正対象項目名】全文
【補正方法】変更
【補正の内容】
【実用新案登録請求の範囲】
【請求項１】
現在市販されている合成樹脂製のカーテンランナーは、上部にカーテンレール（１）の溝の中に入る円柱部分と、それに連なる中部のくびれた胴体部分、そしてカーテンのフックが通る丸い穴が設けられている下部からなるが、このカーテンランナーを縦に半分にして、上部の円柱部分の最上部の円の直径部分でつながっており、その直径部分を支点に折り曲げて合わせることが出来る様にし、中央の半円柱状の部分（５）をカーテンレール（１）の溝にはめ込み、ここを支点として折り曲げて重ね合わせることによりカーテンランナー（２）の形になり、穴の部分にフックを通してカーテンをつり下げることを可能にした、簡単にカーテンレール（１）より取り付けおよび取り外しができるカーテンランナー（２）。
【請求項２】
前記カーテンランナー（２）に、カーテンのフックを通すための穴がある下の方より、それに連なるカーテンランナー中部のくびれた胴体部分に、中央部分がきちんとはまる形状にくりぬかれた固定リング（３）を取り付け、強度を上げ、折り曲げてカーテンレール（１）に取り付けたカーテンランナー（２）が開かない様に固定し、カーテンレール（１）より外れにくい様に工夫したカーテンランナー（２）。
【請求項３】
請求項２に記載のカーテンランナー（２）において、前記固定リング（３）の側面にマグネット（７）を取り付けた、マグネット付き固定リング（６）を取り付け、カーテンレール（１）上でカーテンランナー（２）同士がマグネットの磁力で吸着するように工夫したカーテンランナー（２）。